(57)【要約】【課題】  プラスチック光ファイバーからの漏洩光による光条の光源の電力を少なくすることと、光結合を簡単にすることを目的とする。【解決手段】  本発明は、目の残光性を利用し、間歇的に強く瞬間発光する低電力のストロボ光源と、これに単数または複数のプラスチック光ファイバーの先端を触突させた簡単な構造の光結合を行い、該ファイバーからの漏洩光による間歇光条を作っている。そのため、低電力ながら有効的なストロボ光源で掲示案内物の照射が出来ると共に、感電のない安全なファイバー光条で長尺の誘導案内または掲示が簡単に出来る。また、該ファイバーは化学的に安定であると共に、部分的に曲率半径を小さくするかまたは表面に損傷を与えると他よりも強い漏洩光が得られるので、表示の強調箇所が容易に設定できる。【選択図】図１
2007042563.tif 000002
【特許請求の範囲】
【請求項１】
ストロボ光源にプラスチック光ファイバーの先端を触突させて光結合し、該光源による照明視認機能と該ファイバーからの漏洩光による光条を用いるストロボ光ファイバー光条装置
【発明の詳細な説明】
【技術分野】
【０００１】  本発明は、照明視認および誘導案内に用いる電光装置に関する。
【背景技術】
【０００２】  従来、電光を用いた照明視認または誘導案内装置は枚挙に尽きない。中にはプラスチック光ファイバーからの漏洩光を用いた装置も多く、種々の目的に使用されている（例えば、特許文献１、２、３、４参照）。
【特許文献１】  特許公開２００５ー９０１４４    公報
【特許文献２】  特許公開平１０ー６３２０６      公報
【特許文献３】  特許公開平０８ー１５５２７      公報
【特許文献４】  登録実用新案第３０４６６５４号  公報
【０００３】  また、該ファイバーに光を有効に入射させるための方策も多く試みられている（例えば、特許文献５、６、７、８、９、１０、１１参照）。
【特許文献５】  特許公開２００２ー２４３９８７  公報
【特許文献６】  特許公開２００２ー７５０４６    公報
【特許文献７】  特許公開２０００ー２４１６７３  公報
【特許文献８】  特許公開平１１ー３４６０２８    公報
【特許文献９】  特許公開平１０ー２６８１４６    公報
【特許文献１０】  特許公開平１０ー７８５３０    公報
【特許文献１１】  特許公開平０７ー５６０５６    公報
【発明の開示】
【発明が解決しようとする課題】
【０００４】  光ファイバーからの漏洩光を用いた表示装置で、表示をより鮮明にするためには必然的に光源を明るくする必要があり、電気エネルギーが増大せざるを得ないのが現状である。【０００５】  また、従来のファイバーへの光結合装置は一般に複雑であり（例えば、特許文献５〜１１参照）、これらを安価に構成するのは至難である。【０００６】  本発明は、光源の電気エネルギーを増加させることなく、簡単な装置で安価に表示効果を上げることを目的としている。
【課題を解決するための手段】
【０００７】  本発明は、上記の目的を達成するために、間歇的に強く瞬間発光するストロボ光源と、これを見た動物の目の残光特性との相乗効果を用いて、該ファイバーからの漏洩光の強さを実質的に増加させて表示効果を上げている。【０００８】  具体的には、ストロボ光源にキセノン管の放電光を用い、該光源を毎秒１回程度の頻度で瞬間発光させると共に、キセノン管の一部または大部分の表面にプラスチック光ファイバーの先端を触突させて光源部と光ファイバーとを直接光結合させ、該ファイバーから間歇的に漏洩する光で光条を構成している。
【発明の効果】
【０００９】  上記の構成によるストロボ光ファイバー光条装置の特徴は、光条が誘導案内に用いられるばかりでなく、キセノン管からの放電光で近くの掲示物品が照射出来ると共に遠方からも容易に該装置の設置場所が視認出来ることである。【００１０】  またもう一つの特徴は、必要により単数または複数のファイバーをキセノン管に直接触突させることが出来るため、多数のファイバーを極めて簡単に光結合でき、若しキセノン管からの直接光が不必要なときは、該管の表面全体からファイバーに光を取り入れることも容易である。【００１１】  多くのファイバー光条が簡単に得られるので、各種の提示や誘導案内が出来ると共に、光結合の際に適当な色フィルターを用いれば、多様な色調の点滅光条を構成することも簡単である。この際、ファイバー光条の多寡とキセノン管の動作電力は無関係であることも本発明の特長でもある。【００１２】  また周知のように、プラスチック光ファイバーは曲率半径を小さくするか表面に損傷を与えると、その部分が他より強く漏光するので、極めて簡単に光条にアクセントをつけることが出来る。このことも本発明の特長である。
【発明を実施するための最良の形態】
【００１３】  以下、本発明の実施の形態を図１〜図４に基づいて説明する。【００１４】  図１において、１はキセノン管、２はプラスチック光ファイバー、３は光ファイバー保持具、４はキセノン管のプラス電極、５は同マイナス電極、６は同トリガー電極、７はキセノン管の電源部である。【００１５】  ７の電源部は、キセノン管の放電を制御するもので、使用するキセノン管の放電特性および装置の使用目的により消費電力は決まる。しかし、近くの掲示物照射や誘導案内に使用する場合は高出力の放電は不必要で、小型キセノン管を毎秒１回程度放電させる程度で十分であり、一般に数ワットの電力で動作させることが出来る。【００１６】  図２は、キセノン管１に光ファイバー２ａ〜２ｄの４本を同一平面内で光結合させる場合の断面図で、光ファイバー保持具３に４方向の触突案内部を設けてある。もし、同一平面内で多数の光ファイバーを１の周辺に触突させたい場合は、１の外周長と２の先端断面直径との関係で触突できるファイバーの最大数が決まる。【００１７】  図３は、２本の光ファイバー２ａ、２ｂの漏洩光に着色を施すため、触突部に透明な着色ガラスまたはプラスチックフィルター８ａ、８ｂを挿入した場合の断面図である。また例えば、４色の異なる光条案内を作りたい場合は、図２の２ａ〜２ｄの先端に希望する色のフィルターを挿入すればよい。【００１８】  図４は、キセノン管の軸に沿って光ファイバーｎ本を多段に重ねて結合させた場合の側面図である。またこれらに着色したい場合は、適当な色フィルターを２ａ〜２ｎの先端に挿入すればよい。極端な場合として、１の外周囲全体を多段ファイバーで覆うことも可能であるが、この際はキセノン管の発熱と装置の動作時間により適当な放熱を考慮する必要がある場合もある。
【図面の簡単な説明】
【００１９】
【図１】  本発明の実施形態の基本構成図（光ファイバー１本の場合）
【図２】  光ファイバー４本を同一平面内で光結合させる場合の断面図
【図３】  光ファイバー２本に着色して光結合させる場合の断面図
【図４】  ｎ本の光ファイバーを縦に多段光結合させる場合の側面図
【符号の説明】
【００２０】  １  キセノン管
２、２ａ、２ｂ、２ｃ、２ｄ、２ｎ  プラスチック光ファイバー
３  光ファイバー保持具
４  キセノン管プラス電極
５  キセノン管マイナス電極
６  キセノン管トリガー電極
７  キセノン管電源部
８  透明着色ガラスまたはプラスチック
【図１】
2007042563.tif 000003
【図２】
2007042563.tif 000004
【図３】
2007042563.tif 000005
【図４】
2007042563.tif 000006